【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
ビデオエンコーダがビデオデータを符号化する方法であって、
ビデオデータのブロックのためのイントラ予測モードの第１のセット中の第１のイントラ予測モードを決定することと、
前記イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備える、
前記第２のイントラ予測モードがマッピングされる方向性変換を決定することと、
前記第１のイントラ予測モードを使用して予測ブロックを生成することと、
前記ビデオデータの前記ブロックと前記予測ブロックとの間の差分に基づいて残差データを計算することと、
符号化されたビデオデータのブロックを復号するために、前記予測ブロックと残差ブロックを合成することと、
前記ブロックの前記残差データに前記方向性変換を適用することと、
前記第２のイントラ予測モードに関連付けられた走査パターンを使用して変換された前記残差データを走査することを備える、方法。
【請求項２】
前記第２のイントラ予測モードがマッピングされる回転変換を決定することと、
変換された前記残差ブロックに前記回転変換を適用することとをさらに備える、請求項１に記載の方法。
【請求項３】
前記第２のイントラ予測モードを決定することは、前記第１のイントラ予測モードがマッピングされる前記第２のイントラ予測モードを決定するために構成データを照会することを備え、
前記方向性変換を決定することは、前記第２のイントラ予測モードがマッピングされる前記方向性変換を決定するために前記構成データを照会することを備える、請求項１に記載の方法。
【請求項４】
イントラ予測モードの前記第２のセットが、前記イントラ予測モードの前記第１のセットのサブセットを備える、請求項１に記載の方法。
【請求項５】
変換された前記残差ブロックが２次元行列を備え、前記行列中の１つ以上の係数の値を０に等しく設定することをさらに備える、請求項１に記載の方法。
【請求項６】
前記残差データを走査することが、
１次元ベクトルを形成するために、変換された前記残差データを走査することと、
前記ベクトル中の１つ以上の係数の値を０に等しく設定することとを備える、請求項１に記載の方法。
【請求項７】
前記ブロックに関連付けられた４分木データ構造のルートノードにおいて前記第１のイントラ予測モードの指示を記憶することをさらに備える、請求項１に記載の方法。
【請求項８】
前記方向性変換が、前記第２のイントラ予測モードからマッピングされた第１の方向性変換を備え、前記残差データに前記第１の方向性変換を適用することが、第２の変換された残差データを生成するために前記第１の方向性変換に加えて、第２の異なる変換を使用して、変換された前記残差データを変換することをさらに備える、請求項１に記載の方法。
【請求項９】
前記第２のイントラ予測モードからマッピングされた走査インデックスを選択することをさらに備え、前記走査パターンが前記走査インデックスに対応する、請求項８に記載の方法。
【請求項１０】
ビデオデータを符号化するための装置であって、
ビデオデータのブロックのためのイントラ予測モードの第１のセット中の第１のイントラ予測モードの指示を受信することと、イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記第２のイントラ予測モードがマッピングされる方向性変換を決定することと、前記イントラ予測モードの前記第２のセットは、ＩＴＵ−Ｔ  Ｈ．２６４に従って定義されたイントラ予測モードを備え、前記第１のイントラ予測モードを使用して予測ブロックを生成することと、前記ビデオデータの前記ブロックと前記予測ブロックとの間の差分に基づいて残差データを計算することと、符号化されたビデオデータのブロックを復号するために、前記予測ブロックと残差ブロックを合成することと、前記ブロックの前記残差データに前記方向性変換を適用することと、前記第２のイントラ予測モードに関連付けられた走査パターンを使用して、変換された前記残差データを走査することとを行うように構成されたビデオエンコーダを備える、装置。
【請求項１１】
前記ビデオエンコーダは、前記第２のイントラ予測モードがマッピングされる回転変換を決定することと、変換された前記残差データに前記回転変換を適用することとを行うように構成された、請求項１０に記載の装置。
【請求項１２】
前記イントラ予測モードの前記第１のセットと前記イントラ予測モードの前記第２のセットとの間のマッピングの第１のセットと、前記イントラ予測モードの前記第２のセットと決定された前記方向性変換を備える方向性変換のセットとの間のマッピングの第２のセットとを与える構成データを記憶するコンピュータ可読記憶媒体をさらに備え、前記第２のイントラ予測モードを決定するために、前記ビデオエンコーダは、前記第１のイントラ予測モードがマッピングされる前記第２のイントラ予測モードを決定するために構成データを照会するように構成され、前記方向性変換を決定するために、前記ビデオエンコーダは、前記第２のイントラ予測モードがマッピングされる前記方向性変換を決定するために前記構成データを照会するように構成された、請求項１０に記載の装置。
【請求項１３】
前記ビデオエンコーダが、前記方向性変換によって生成された１つ以上の変換係数の値を０に等しく設定するように構成された、請求項１０に記載の装置。
【請求項１４】
前記方向性変換が、前記第２のイントラ予測モードからマッピングされた第１の方向性変換を備え、前記ビデオエンコーダが、第２の変換された残差ブロックを生成するために前記第１の方向性変換に加えて第２の異なる変換を使用して、変換された前記残差ブロックを変換するように構成された、請求項１０に記載の装置。
【請求項１５】
前記ビデオエンコーダが、前記第２のイントラ予測モードからマッピングされた走査インデックスを選択するように構成され、前記走査パターンが前記走査インデックスに対応する、請求項１４に記載の装置。
【請求項１６】
前記装置が、
集積回路と、
マイクロプロセッサと、
前記ビデオエンコーダを含むワイヤレス通信機器とのうちの少なくとも１つを備える、請求項１０に記載の装置。
【請求項１７】
ビデオデータを符号化するための装置であって、
ビデオデータのブロックのためのイントラ予測モードの第１のセット中の第１のイントラ予測モードの指示を受信するための手段と、
前記イントラ予測モードの前記第１のセットよりも小さいイントラ予測モードの第２のセットから、前記第１のイントラ予測モードがマッピングされる第２のイントラ予測モードを決定するための手段と、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備える、
前記第２のイントラ予測モードがマッピングされる方向性変換を決定するための手段と、
前記第１のイントラ予測モードを使用して予測ブロックを生成するための手段と、
前記ビデオデータの前記ブロックと前記予測ブロックとの間の差分に基づいて残差データを計算するための手段と、
符号化されたビデオデータのブロックを復号するために、前記予測ブロックと残差ブロックを合成する手段と、
前記ブロックの前記残差データに前記方向性変換を適用するための手段と、
前記第２のイントラ予測モードに関連付けられた走査パターンを使用して、変換された前記残差データを走査するための手段とを備える、装置。
【請求項１８】
前記第２のイントラ予測モードがマッピングされる回転変換を決定するための手段と、
変換された前記残差データに前記回転変換を適用するための手段とをさらに備える、請求項１７に記載の装置。
【請求項１９】
ビデオデータを復号するための機器のプロセッサによって実行されたとき、
ビデオデータのブロックのためのイントラ予測モードの第１のセット中の第１のイントラ予測モードの指示を受信することと、
前記イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記イントラ予測モードの第２のセットは、ＩＴＵ−Ｔ  Ｈ．２６４に従って定義されたイントラ予測モードを備える、
前記第２のイントラ予測モードがマッピングされる方向性変換を決定することと、
前記第１のイントラ予測モードを使用して予測ブロックを生成することと、
前記ビデオデータの前記ブロックと前記予測ブロックとの間の差分に基づいて残差データを計算することと、
符号化されたビデオデータのブロックを復号するために、前記予測ブロックと残差ブロックを合成することと、
前記ブロックの前記残差データに前記方向性変換を適用することと、
前記第２のイントラ予測モードに関連付けられた走査パターンを使用して、変換された残差データを走査することとを、前記プロセッサに行わせる命令を記憶したコンピュータ可読記憶媒体。
【請求項２０】
前記第２のイントラ予測モードがマッピングされる回転変換を決定することと、
変換された前記残差データに前記回転変換を適用することとを前記プロセッサに行わせる命令をさらに備える、請求項１９に記載のコンピュータ可読記憶媒体。
【請求項２１】
ビデオデコーダがビデオデータを復号する方法であって、
符号化されたビデオデータのブロックのためのイントラ予測モードの第１のセット中の第１のイントラ予測モードの指示を受信することと、
前記イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備える、
前記第２のイントラ予測モードがマッピングされる逆方向性変換を決定することと、
前記ブロックの変換された残差データを再生するために、前記第２のセットの前記イントラ予測モードに関連付けられた逆走査パターンを使用して、受信された係数を逆走査することと、
残差ブロックを取得するために前記ブロックの変換された前記残差データに前記逆方向性変換を適用することと、
前記第１のイントラ予測モードを使用して予測ブロックを生成することと、
符号化されたビデオデータの前記ブロックを復号するために、前記予測ブロックと前記残差ブロックを合成することとを備える、方法。
【請求項２２】
前記第２のイントラ予測モードがマッピングされる逆回転変換を決定することと、
中間の変換された残差データを生成するために変換された前記残差データに前記逆回転変換を適用することとをさらに備え、
前記逆方向性変換を適用することが、前記中間の変換された残差データに前記逆方向性変換を適用することを備える、請求項２１に記載の方法。
【請求項２３】
前記第２のイントラ予測モードを決定することは、前記第１のイントラ予測モードがマッピングされる前記第２のイントラ予測モードを決定するために構成データを照会することを備え、
前記方向性変換を決定することは、前記第２のイントラ予測モードがマッピングされる前記方向性変換を決定するために前記構成データを照会することを備える、請求項２１に記載の方法。
【請求項２４】
前記イントラ予測モードの前記第２のセットが、前記イントラ予測モードの前記第１のセットのサブセットを備える、請求項２１に記載の方法。
【請求項２５】
前記第１のイントラ予測モードの前記指示を受信することが、
前記ブロックに関連付けられた４分木データ構造を受信することと、
前記４分木データ構造のルートノードから前記第１のイントラ予測モードの前記指示を取り出すこととを備える、請求項２１に記載の方法。
【請求項２６】
前記逆方向性変換が、前記第２のイントラ予測モードからマッピングされた第１の逆方向性変換を備え、変換された前記残差データに前記第１の逆方向性変換を適用することが、前記残差ブロックを取得するために前記第１の逆方向性変換に加えて、第２の異なる逆変換を使用して前記ブロックの逆変換された前記残差データを逆変換することをさらに備える、請求項２１に記載の方法。
【請求項２７】
前記第２のイントラ予測モードからマッピングされた走査インデックスを選択することをさらに備え、前記逆走査パターンは前記走査インデックスに対応する、請求項２６に記載の方法。
【請求項２８】
ビデオデータを復号するための装置であって、
符号化されたビデオデータのブロックのためのイントラ予測モードの第１のセット中の第１のイントラ予測モードの指示を受信することと、前記イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備え、前記第２のイントラ予測モードがマッピングされる逆方向性変換を決定することと、前記ブロックの変換された残差データを再生するために、前記第２のセットの前記イントラ予測モードに関連付けられた逆走査パターンを使用して、前記ブロックの受信された係数を逆走査することと、残差ブロックを取得するために前記ブロックの変換された前記残差データに前記逆方向性変換を適用することと、前記第１のイントラ予測モードを使用して予測ブロックを生成することと、符号化されたビデオデータの前記ブロックを復号するために、前記予測ブロックと前記残差ブロックを合成することとを行うように構成されたビデオデコーダを備える、装置。
【請求項２９】
前記ビデオデコーダは、前記第２のイントラ予測モードがマッピングされる逆回転変換を決定することと、中間の変換された残差データを生成するために前記変換された残差データに前記逆回転変換を適用することとを行うように構成され、前記逆方向性変換を適用することが、前記中間の変換された残差データに前記逆方向性変換を適用することを備える、請求項２８に記載の装置。
【請求項３０】
前記イントラ予測モードの前記第１のセットと前記イントラ予測モードの前記第２のセットとの間のマッピングの第１のセットと、前記イントラ予測モードの前記第２のセットと前記決定された方向性変換を備える方向性変換のセットとの間のマッピングの第２のセットとを与える構成データを記憶するコンピュータ可読記憶媒体をさらに備え、前記第２のイントラ予測モードを決定するために、前記ビデオデコーダは、前記第１のイントラ予測モードがマッピングされる前記第２のイントラ予測モードを決定するために前記構成データを照会するように構成され、前記方向性変換を決定するために、前記ビデオデコーダは、前記第２のイントラ予測モードがマッピングされる前記方向性変換を決定するために前記構成データを照会するように構成された、請求項２８に記載の装置。
【請求項３１】
前記第１のイントラ予測モードの前記指示を受信するために、前記ビデオデコーダが、前記ブロックに関連付けられた４分木データ構造を受信することと、前記４分木データ構造のルートノードから前記第１のイントラ予測モードの前記指示を取り出すこととを行うように構成された、請求項２８に記載の装置。
【請求項３２】
前記逆方向性変換が、前記第２のイントラ予測モードからマッピングされた第１の逆方向性変換を備え、前記ビデオデコーダが、前記残差ブロックを取得するための前記第１の逆方向性変換に加えて第２の異なる逆変換を使用して逆変換された前記残差データを逆変換するように構成された、請求項２８に記載の装置。
【請求項３３】
前記ビデオデコーダが、前記第２のイントラ予測モードからマッピングされた走査インデックスを選択するように構成され、前記逆走査パターンが前記走査インデックスに対応する、請求項３２に記載の装置。
【請求項３４】
集積回路と、
マイクロプロセッサと、
前記ビデオデコーダを含むワイヤレス通信機器とのうちの少なくとも１つを備える、請求項２８に記載の装置。
【請求項３５】
ビデオデータを復号するための装置であって、
符号化されたビデオデータのブロックのためのイントラ予測モードの第１のセット中の第１のイントラ予測モードの指示を受信するための手段と、
前記イントラ予測モードの前記第１のセットよりも小さいイントラ予測モードの第２のセットから、前記第１のイントラ予測モードがマッピングされる第２のイントラ予測モードを決定するための手段と、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備える、
前記第２のイントラ予測モードがマッピングされる逆方向性変換を決定するための手段と、
前記ブロックの変換された残差データを再生するために、前記第２のセットの前記イントラ予測モードに関連付けられた逆走査パターンを使用して、前記ブロックの受信された係数を逆走査するための手段と、
残差ブロックを取得するために前記ブロックの変換された前記残差データに前記逆方向性変換を適用するための手段と、
前記第１のイントラ予測モードを使用して予測ブロックを生成するための手段と、
符号化されたビデオデータの前記ブロックを復号するために、前記予測ブロックと前記残差ブロックを合成するための手段とを備える、装置。
【請求項３６】
前記第２のイントラ予測モードがマッピングされる逆回転変換を決定するための手段と、
中間の変換された残差データを生成するために変換された前記残差データに前記逆回転変換を適用するための手段とをさらに備え、
前記逆方向性変換を適用することが、前記中間の変換された残差データに前記逆方向性変換を適用することを備える、請求項３５に記載の装置。
【請求項３７】
ビデオデータを復号するための機器のプロセッサによって実行されたとき、
符号化されたビデオデータのブロックのためのイントラ予測モードの第１のセット中の第１のイントラ予測モードの指示を受信することと、
前記イントラ予測モードの前記第１のセットよりも小さいイントラ予測モードの第２のセットから、前記第１のイントラ予測モードがマッピングされる第２のイントラ予測モードを決定することと、前記第２のイントラ予測モードは前記第１のイントラ予測モードとは異なり、前記イントラ予測モードの前記第２のセットは、ＩＴＵ−Ｔ  Ｈ．２６４に従って定義されたイントラ予測モードを備える、
前記第２のイントラ予測モードがマッピングされる逆方向性変換を決定することと、
前記ブロックの変換された残差データを再生するために、前記第２のセットの前記イントラ予測モードに関連付けられた逆走査パターンを使用して、前記ブロックの受信された係数を逆走査することと、
残差ブロックを取得するために前記ブロックの変換された前記残差データに前記逆方向性変換を適用することと、
前記第１のイントラ予測モードを使用して予測ブロックを生成することと、
符号化されたビデオデータの前記ブロックを復号するために、前記予測ブロックと前記残差ブロックを合成することとを、前記プロセッサに行わせる命令を記憶したコンピュータ可読記憶媒体。
【請求項３８】
前記第２のイントラ予測モードがマッピングされる逆回転変換を決定することと、
中間の変換された残差データを生成するために前記変換された残差データに前記逆回転変換を適用することとを前記プロセッサに行わせる命令を記憶し、
前記逆方向性変換を適用することが、前記中間の変換された残差データに前記逆方向性変換を適用することを備える、請求項３７に記載のコンピュータ可読記憶媒体。